(57)【要約】
　　【課題】　二個の体積が小さくかつコストが低いレーテッドパワーの誘導駆動素子を利用して二相半波のコイルを制御することにより、モーターのレーテッドパワーを高め、モーターの内部空間を節約し、さらにモーターの製造コストを低く抑えることができるブラシレス直流モーターを提供しようとするものである。
　　【解決手段】　各誘導駆動素子にはそれぞれ二個のピンが形成される。各コイルにはそれぞれ第一エンドと第二エンドが形成される。第一コイルと第二コイルの第一エンドは共同で電源と連接するように形成される。第一コイルの第二エンドはそれぞれ第一誘導駆動素子の一方のピンと第二誘導駆動素子の一方のピンまで連接され、第二コイルの第二エンドはそれぞれ第一誘導駆動素子の他方のピンと第二誘導駆動素子の他方のピンまで連接されるように構成されている。
【選択図】　　図１
0003099649.tif 000002
【実用新案登録請求の範囲】
【請求項１】
　ローター（２ｃ）、ステータ（２ａ）、第一誘導駆動素子（２１）、第二誘導駆動素子（２１ａ）、第一コイル（２２）および第二コイル（２２ａ）により構成される二相半波ブラシレス直流モーターであって、ローター（２ｃ）には少なくとも一組のＮ、Ｓの磁極を有するように形成され、ステータ（２ａ）には少なくとも一組のローター（２ｃ）の磁極に対応した磁極が設けられ、第一誘導駆動素子（２１）には二個のピンが形成され、第一誘導素子（２１）はローター（２ｃ）の磁極を検出するのに用いられ、第二誘導駆動素子（２１ａ）には二個のピンが形成され、第二誘導素子（２１ａ）はローター（２ｃ）の磁極を検出するのに用いられ、第一コイル（２２）には第一エンドと第二エンドが形成され、第一エンドは電源と連接するのに用いられ、第二エンドは第一誘導駆動素子（２１）の一方のピンと第二誘導駆動素子（２１ａ）の一方のピンまで連接され、第二コイル（２２ａ）には第一エンドと第二エンドが形成され、第一エンドは電源と連接するのに用いられ、第二エンドは第一誘導駆動素子（２１）の他方のピンと第二誘導駆動素子（２１ａ）の他方のピンまで連接され、第一誘導駆動素子（２１）と第二誘導駆動素子（２１ａ）はローター（２ｃ）の磁極を検出し、第一コイル（２２）と第二コイル（２２ａ）を交替に導通することにより、ローター（２ｃ）が回転するのを駆動することができることを特徴とする二相半波ブラシレス直流モーター。
【請求項２】
　ステータ（２ａ）の下方には他に回路板（２ｂ）が設けられ、第一誘導駆動素子（２１）と第二誘導駆動素子（２１ａ）は回路板（２ｂ）に固設されることを特徴とする請求項１記載の二相半波ブラシレス直流モーター。
【請求項３】
　第一誘導駆動素子（２１）と第二誘導駆動素子（２１ａ）はステータ（２ａ）に対応した同じ磁極の位置に設置されることを特徴とする請求項１記載の二相半波ブラシレス直流モーター。
【請求項４】
　第一誘導駆動素子（２１）と第二誘導駆動素子（２１ａ）はステータ（２ａ）に対応した異なる磁極の位置に設置されることを特徴とする請求項１記載の二相半波ブラシレス直流モーター。
【考案の詳細な説明】
【技術分野】
【０００１】
　本考案は、二個の誘導駆動素子を有する二相半波ブラシレス直流モーターに関するもので、特に二個の誘導駆動素子を利用して二相半波のコイルを制御する二相半波ブラシレス直流モーターに係るものである。
【背景技術】
【０００２】
　従来の二相半波のコイルのブラシレス直流モーターとしては、図４に示す回路図において、二相半波のブラシレス直流モーターには二相半波のコイル駆動回路１０を有し、二相半波のコイル駆動回路１０には誘導駆動素子１１および二個のコイル１２が含まれる。誘導駆動素子１１には二個のピン０１、０２が形成されて二個のコイル１２まで電気的連接されることができる。誘導駆動素子１１は開閉の功能を有し、二個のコイル１２の導通と切断を交替に制御するのに用いられることができるため、二個のコイル１２はそれぞれ半波の励磁に形成されてローターが回転するのを駆動することができるようにとしたものがある。
【考案の開示】
【考案が解決しようとする課題】
【０００３】
　上記のような従来の二相半波のコイルのブラシレス直流モーターにおいて、誘導駆動素子１１のレーテッドパワーと体積の変化率は非線性である。言い換えれば、誘導駆動素子１１のレーテッドパワーが一倍に増えた時、誘導駆動素子１１の体積も一倍以上に増やされる。このように、誘導駆動素子１１のレーテッドパワーが上げられた時、誘導駆動素子１１はモーターの内部の過大な空間を占用するという問題点があった。その他に、大きいレーテッドパワーの誘導駆動素子の製造コストはかなり高く、二個の小さいレーテッドパワーの誘導駆動素子の製造コストよりも高いため、上記大きいレーテッドパワーの誘導駆動素子には製造コストが高くなるという問題点があった。そして、モーターの内部空間と製造コストを節約するべく、誘導駆動素子１１のレーテッドパワーを増やさなければならない時には、もう一つの小さいレーテッドパワーの誘導駆動素子を増設するだけで、誘導駆動素子１１のレーテッドパワーを上げることができると共に、製造コストを低く抑えることができる。
【０００４】
　本考案はこのような問題点に鑑みて考案したものであって、その目的とするところは、二個の小さいレーテッドパワーの誘導駆動素子を利用して二相半波のコイルを制御し、そして二個の小さいレーテッドパワーの誘導駆動素子を大きいレーテッドパワーの誘導駆動素子の代わりとして、小さいレーテッドパワーの誘導駆動素子には体積が小さくかつコストが低いという特性を有しているため、モーターのレーテッドパワーを高め、モーターの内部の空間を節約し、さらにモーターの製造コストを低く抑えることができ、さらに使用上の需要性に応じて小さいレーテッドパワーの誘導駆動素子の数（モーターの磁極数より多くなってはいけない）を拡充することができる二相半波ブラシレス直流モーターを提供しようとするものである。
【０００５】
　本考案の第一の目的は、二個の小さいレーテッドパワーの誘導駆動素子を利用して二相半波のコイルを制御することにより、モーターのレーテッドパワーを高めることができる二個の誘導駆動素子を有する二相半波ブラシレス直流モーターを提供しようとするものである。
【０００６】
　本考案の第二の目的は、二個の小さいレーテッドパワーの誘導駆動素子を利用して二相半波のコイルを制御することにより、小さいレーテッドパワーの誘導駆動素子には体積が小さくかつコストが低いという特性を有しているため、モーターの内部の空間を節約し、モーターの製造コストを低く抑えることができる二個の誘導駆動素子を有する二相半波ブラシレス直流モーターを提供しようとするものである。
【課題を解決するための手段】
【０００７】
　上記目的を達成するために、本考案による二相半波ブラシレス直流モーターは、下記のようになるものである。すなわち、
　ローター、ステータ、第一誘導駆動素子、第二誘導駆動素子、第一コイルおよび第二コイルにより構成される。ローターには少なくとも一組のＮ、Ｓの磁極を有するように形成される。ステータには少なくとも一組のローターの磁極に対応した磁極が設けられる。第一誘導駆動素子には二個のピンが形成され、第一誘導素子はローターの磁極を検出するのに用いられる。第二誘導駆動素子には二個のピンが形成され、第二誘導素子はローターの磁極を検出するのに用いられる。第一コイルには第一エンドと第二エンドが形成され、第一エンドは電源と連接するのに用いられ、第二エンドは第一誘導駆動素子の一方のピンと第二誘導駆動素子の一方のピンまで連接される。第二コイルには第一エンドと第二エンドが形成され、第一エンドは電源と連接するのに用いられ、第二エンドは第一誘導駆動素子の他方のピンと第二誘導駆動素子の他方のピンまで連接される。第一誘導駆動素子と第二誘導駆動素子はローターの磁極を検出し、第一コイルと第二コイルを交替に導通することにより、ローターが回転するのを駆動することができる。
【０００８】
　本考案による二相半波ブラシレス直流モーターは、ステータの下方には他に回路板が設けられ、第一誘導駆動素子と第二誘導駆動素子は回路板に固設されることもできる。また、第一誘導駆動素子と第二誘導駆動素子はステータに対応した同じ磁極の位置に設置されることもできる。また、第一誘導駆動素子と第二誘導駆動素子はステータに対応した異なる磁極の位置に設置されることもできる。
【考案の効果】
【０００９】
　本考案の二相半波ブラシレス直流モーターによれば、二個の小さいレーテッドパワーの誘導駆二個の小さいレーテッドパワーの誘導駆動素子を利用して二相半波のコイルを制御することにより、モーターのレーテッドパワーを高めることができるという利点がある。
【００１０】
　本考案の二相半波ブラシレス直流モーターによれば、二個の小さいレーテッドパワーの誘導駆動素子を利用して二相半波のコイルを制御することにより、小さいレーテッドパワーの誘導駆動素子には体積が小さくかつコストが低いという特性を有しているため、モーターの内部の空間を節約し、モーターの製造コストを低く抑えることができるという利点がある。
【考案を実施するための最良の形態】
【００１１】
　本考案の実施の形態について、以下、図面を参照して説明する。
【実施例１】
【００１２】
　図１は本考案の実施例１の二個の誘導駆動素子を有する二相半波ブラシレス直流モーターによる回路図で、図２は本考案の実施例１の二個の誘導駆動素子を有する二相半波ブラシレス直流モーターによる断面図である。
【００１３】
　図１、２を参照すると、本考案の実施例１の二個の誘導駆動素子を有する二相半波ブラシレス直流モーター２には二相半波のコイル駆動回路２０を有する。二相半波のコイル駆動回路２０には第一誘導駆動素子２１、第二誘導駆動素子２１ａ、第一コイル２２および第二コイル２２ａが含まれる。
【００１４】
　再び図１を参照すると、各誘導駆動素子２１と２１ａにはそれぞれ第一ピン０１と第二ピン０２が形成される。第一誘導駆動素子２１と第二誘導駆動素子２１ａは好ましくは同じレーテッドパワーを有するように形成される。各コイル２２と２２ａには第一エンドと第二エンドが形成される。第一コイル２２と第二コイル２２ａは好ましくは同じ抵抗を有するように形成される。
【００１５】
　再び図２を参照すると、二相半波ブラシレス直流モーター２にはステータ２ａ、回路板２ｂおよびローター２ｃが含まれる。回路板２ｂには二相半波駆動回路が設けられると共に、回路板２ｂに第一誘導駆動素子２１と第二誘導駆動素子２２ａを載置することができるため、第一誘導駆動素子２１と第二誘導駆動素子２１ａはローター２ｃの永久磁石の磁極を対応するように検出することができる。
【００１６】
　再び図２を参照すると、回路板２ｂにおいて第一誘導駆動素子２１と第二誘導駆動素子２１ａは例えばステータ２ａの同じ磁極の位置または異なる磁極の位置に対応するように設置することができる。実施例１において第一誘導駆動素子２１と第二誘導駆動素子２１ａは同じ磁極の位置に位置するように形成される。
【００１７】
　再び図１を参照すると、第一コイル２２と第二コイル２２ａの第一エンド共同で電源Ｖｃｃまで連接される。第一コイル２２の第二エンドはそれぞれ第一誘導駆動素子２１と第二誘導駆動素子２１ａの第一ピン０１まで連接され、第二コイル２２ａの第二エンドはそれぞれ第一誘導駆動素子２１と第二誘導駆動素子２１ａの第二ピン０２まで連接される。この時、第一誘導駆動素子２１と第二誘導駆動素子２１ａはステータ２ａの同じ磁極の位置に対応するように設置されるため、第一誘導駆動素子２１と第二誘導駆動素子２１ａはローター２ｃの永久磁石の同じ磁極（Ｎ極またはＳ極）を検出することができる。
【００１８】
　モーターが回転すると、第一誘導駆動素子２１と第二誘導駆動素子２１ａは共同でローター２ｃの永久磁石の同じ磁極（Ｎ極またはＳ極）を誘導し検出することができる。例えば、第一誘導駆動素子２１と第二誘導駆動素子２１ａは共同でＮ極を検出することができ、またはＳ極を検出することができる。それによって、第一ピン０１または第二ピン０２を交替に導通することにより、第一コイル２２または第二コイル２２ａは交替に導通するように形成される。
【００１９】
　第一コイル２２が第一誘導駆動素子２１と第二誘導駆動素子２１ａの第一ピン０１を経て導通に形成された時、第二コイル２２ａは第一誘導駆動素子２１と第二誘導駆動素子２１ａの第二ピン０２を経て導通に形成されることができない。それに反して、第二コイル２２ａが第一誘導駆動素子２１と第二誘導駆動素子２１ａの第二ピン０２を経て導通に形成された時、第一コイル２２は第一誘導駆動素子２１と第二誘導駆動素子２１ａの第一ピン０１を経て導通に形成されることができない。
【００２０】
　第一コイル２２が同期に第一誘導駆動素子２１と第二誘導駆動素子２１ａの第一ピン０１を経て導通に形成された時、第一コイル２２の電流は二道に分かれてそれぞれ第一誘導駆動素子２１と第二誘導駆動素子２１ａの二個の第一ピン０１を経て流れるため、モーターのレーテッドパワーを高めることができる。例えば、単一誘導駆動素子のレーテッドパワーが５００ｍＷで、レーテッド電流が７００ｍＡであると、両誘導駆動素子はレーテッドパワーを１０００ｍＷに増やし、レーテッド電流を１４００ｍＡに増やす。それと同様に、第一コイル２２ａが同期に第一誘導駆動素子２１と第二誘導駆動素子２１ａの第二ピン０２を経て導通に形成された時、第二コイル２２ａの電流は二道に分かれてそれぞれ第一誘導駆動素子２１と第二誘導駆動素子２１ａの二個の第二ピン０２を経て流れるため、モーターのレーテッドパワーを高めることができる。
【実施例２】
【００２１】
　図３は本考案の実施例２の二個の誘導駆動素子を有する二相半波ブラシレス直流モーターによる回路図である。
【００２２】
　図３を参照すると、本考案の実施例２は構造上において実施例１の一部分とは同じであるため、本考案における両者の差異を分かり易くするため、両者の同じ部分は同じ符号を採用して標示する。また、実施例２の一部分の技術内容は実施例１の説明内容に掲示されたため、ここでは参考にして再び詳細に説明しない。
【００２３】
　再び図２、３を参照すると、実施例１と比較して、実施例２では回路板２ｂにおいて第一誘導駆動素子２１と第二誘導駆動素子２１ａはステータ２ａの異なる磁極の位置に設置されるため、第一誘導駆動素子２１と第二誘導駆動素子２１ａはローター２ｃの永久磁石の異なる磁極（例えばＮ極およびＳ極、またはＳ極およびＮ極）を検出することができる。
【００２４】
　再び図３を参照すると、実施例２の第一コイル２２と第二コイル２２ａの第一エンド共同で電源Ｖｃｃまで連接される。実施例１の連接の関係と比較して、実施例２において第一コイル２２の第二エンドはそれぞれ第一誘導駆動素子２１の第一ピン０１と第二誘導駆動素子２１ａの第二ピン０２まで連接される。同様に、実施例１の連接の関係と比較して、実施例２において第二コイル２２ａの第二エンドはそれぞれ第一誘導駆動素子２１の第二ピン０２と第二誘導駆動素子２１ａの第一ピン０１まで連接される。
【００２５】
　モーターが回転すると、第一誘導駆動素子２１と第二誘導駆動素子２１ａは共同でローター２ｃの永久磁石の磁極を誘導し検出することができる。例えば、第一誘導駆動素子２１がＮ極を検出した時、第二誘導駆動素子２１ａはＳ極を検出することができる。それに反して、第二誘導駆動素子２１がＳ極を検出した時、第二誘導駆動素子２１ａはＮ極を検出することができる。それによって、第一ピン組または第二ピン組を交替に導通することにより、第一コイル２２または第二コイル２２ａは交替に導通するように形成される。第一ピン組は第一誘導駆動素子２１の第一ピン０１と第二誘導駆動素子２１ａの第二ピン０２により組成される。そして、第二ピン組は第一誘導駆動素子２１の第二ピン０２と第二誘導駆動素子２１ａの第一ピン０１により組成される。
【００２６】
　第一コイル２２が第一誘導駆動素子２１の第一ピン０１と第二誘導駆動素子２１ａの第二ピン０２を経て導通に形成された時、第二コイル２２ａは導通に形成されることができない。それに反して、第二コイル２２ａが第一誘導駆動素子２１の第二ピン０２と第二誘導駆動素子２１ａの第一ピン０１を経て導通に形成された時、第一コイル２２は導通に形成されることができない。
【００２７】
　第一コイル２２が同期に第一誘導駆動素子２１の第一ピン０１と第二誘導駆動素子２１ａの第二ピン０２を経て導通に形成された時、第一コイル２２の電流は二道に分かれてそれぞれ第一誘導駆動素子２１と第二誘導駆動素子２１ａを経て流れるため、モーターのレーテッドパワーを高めることができる。それと同様に、第一コイル２２ａが同期に第一誘導駆動素子２１の第二ピン０２と第二誘導駆動素子２１ａの第一ピン０１を経て導通に形成された時、第二コイル２２ａの電流は二道に分かれてそれぞれ第一誘導駆動素子２１と第二誘導駆動素子２１ａを経て流れるため、モーターのレーテッドパワーを高めることができる。
【産業上の利用可能性】
【００２８】
　上述の如く、図４に示す従来の二相半波のコイルのブラシレス直流モーターによれば、モーターのレーテッドパワーが上げられた時、従来の二相半波のコイルのブラシレス直流モーターには体積が増えると共に、製造コストが高くなるという問題点があったが、本考案の二個の誘導駆動素子を有する二相半波ブラシレス直流モーターによれば、誘導駆動素子２１ａが増設されたため、モーターの内部の空間を節約することができると共に、製造コストを低く抑えることができる。
【００２９】
　本考案は、その精神及び必須の特徴事項から逸脱することなく他のやり方で実施することができる。従って、本明細書に記載した好ましい実施例は例示的なものであり、限定的なものではない。
【図面の簡単な説明】
【００３０】
【図１】本考案の実施例１の二個の誘導駆動素子を有する二相半波ブラシレス直流モーターによる回路図である。
【図２】本考案の実施例１の二個の誘導駆動素子を有する二相半波ブラシレス直流モーターによる断面図である。
【図３】本考案の実施例２の二個の誘導駆動素子を有する二相半波ブラシレス直流モーターによる回路図である。
【図４】従来の半波の両コイルブラシレス直流モーターによる回路図である。
【符号の説明】
【００３１】
　　　１０　　二相半波のコイル駆動回路　　　　　　１１　　誘導駆動素子
　　　１２　　コイル
　　　　２　　二相半波ブラシレス直流モーター　　　　２ａ　　ステータ
　　　　２ｂ　　回路板　　　　　　　　　　　　　　　２ｃ　　ローター
　　　２０　　二相半波のコイル駆動回路　　　　　　２１　　第一誘導駆動素子
　　　２１ａ　　第二誘導駆動素子　　　　　　　　　２２　　第一コイル
　　　２２ａ　　第二コイル
【図１】
0003099649.tif 000003
【図２】
0003099649.tif 000004
【図３】
0003099649.tif 000005
【図４】
0003099649.tif 000006